(57)【要約】【課題】適用性の高い導電体及び当該導電体を備える光源モジュール等を提供する。【解決手段】導電体５１，５３は、複数の導電体５１，５３に２個以上の発光体７が表面実装されてなる発光モジュール１用の導電体であり、１個以上の第１発光体７の端子と接続する第１接続予定部３３，５３と、１個以上の第２発光体７の端子と接続する第２接続予定部３５，５５と、第１接続予定部３３，５３と第２接続予定部３５，５５とを連結する連結部３７，５７とを有し、連結部３７，５７は、第１接続予定部３３，５３に対して第２接続予定部３５，５５の位置関係を変更可能に構成されている。【選択図】図１
2019192473.tif 000002
【特許請求の範囲】
【請求項１】
複数の導電体に２個以上の発光体が表面実装されてなる発光モジュール用の導電体であって、
１個以上の第１発光体の端子と接続する第１接続予定部と、
１個以上の第２発光体の端子と接続する第２接続予定部と、
前記第１接続予定部と前記第２接続予定部とを連結する連結部と
を有し、
前記連結部は、前記第１接続予定部に対して前記第２接続予定部の位置関係を変更可能に構成されている
導電体。
【請求項２】
前記連結部は、切り欠きを有し、当該切り欠きにより、位置関係を変更可能としている
請求項１に記載の導電体。
【請求項３】
前記第１接続予定部と前記第２接続予定部とは第１方向に延伸し、
前記連結部は、前記第１方向と交差する第２方向に延伸して、前記第１接続予定部と前記第２接続予定部との一端同士を連結し、
前記切り欠きは、前記連結部における前記第１方向の寸法が小さくなるように、設けられている
請求項２に記載の導電体。
【請求項４】
前記切り欠きは、前記連結部における前記第２方向の両端側に設けられている
請求項３に記載の導電体。
【請求項５】
前記第１接続予定部と前記第２接続予定部と前記連結部とが同一部材として構成されている
請求項１〜４の何れか１項に記載の導電体。
【請求項６】
前記第１接続予定部と前記第２接続予定部と前記連結部とが１本の弾性変形可能な線条体により構成されている
請求項１に記載の導電体。
【請求項７】
前記第１接続予定部は、当該第１接続予定部に接続される前記１個以上の第１発光体の他の端子と接続する他の導電体の第２接続予定部と対向し且つ平行に配された状態で、前記他の導電体の第２接続予定部と共に第１補強部により補強されている
請求項６に記載の導電体。
【請求項８】
前記第２配線予定部は、当該第２配線予定部に接続される前記１個以上の第２発光体の他の端子と接続する他の導電体の第１接続予定部と対向し且つ平行に配された状態で、前記他の導電体の第１接続予定部と共に第２補強部により補強されている
請求項６又は７に記載の導電体。
【請求項９】
前記線条体の長さ方向における中間部分が前記連結部となっている
請求項６〜８の何れか１項に記載の導電体。
【請求項１０】
前記第１接続予定部と前記第２接続予定部の間に前記連結部が介在する状態で、前記第１接続予定部と前記第２接続予定部と前記連結部とを複数個有し、
複数個の前記第１接続予定部と前記第２接続予定部と前記連結部とが１本の弾性変形可能な線条体により構成されている
請求項１に記載の導電体。
【請求項１１】
前記複数個の第１接続予定部は、当該第１配線予定部に接続される前記１個以上の第１発光体の他の端子と接続する他の導電体の第２接続予定部と対向し且つ平行に配された状態で、前記他の導電体の第２接続予定部と共に第１補強部により補強され、
前記複数個の第２接続予定部は、当該第２配線予定部に接続される前記１個以上の第２発光体の他の端子と接続する他の導電体の第１接続予定部と対向し且つ平行に配された状態で、前記他の導電体の第２接続予定部と共に第２補強部により補強されている
請求項１０に記載の導電体。
【請求項１２】
前記他の導電体は、前記第１接続予定部と前記第２接続予定部と前記連結部とを１本の弾性変形可能な線条体に複数個有する
請求項１１に記載の導電体。
【請求項１３】
複数の導電体に２個以上の発光体が実装されてなる発光モジュールであって、
前記導電体は、請求項１〜１２の何れか１項に記載の導電体を備える
発光モジュール
【請求項１４】
複数の導電体に２個以上の発光体が実装されてなる発光モジュールを備える照明装置であって、
前記発光モジュールは、請求項１３に記載の発光モジュールである
照明装置。
【請求項１５】
複数の導電体に２個以上の発光体が実装されてなる発光モジュールをベースに備える照明装置において、
前記ベースは樹脂材料により構成され、
前記発光モジュールは、請求項１３に記載の発光モジュールであり、
導電体が前記ベースと一体成形品となっている
照明装置。
【発明の詳細な説明】
【技術分野】
【０００１】
本発明は、複数の導電体に発光体が実装されてなる発光モジュール用の導電体に関する。
【背景技術】
【０００２】
近年、光源である発光素子を備える光源モジュールとして、隣接する２つの導電片を１組として、複数組の導電片に跨るように複数個の発光素子を実装したものが提案されている（例えば特許文献１）。
【先行技術文献】
【特許文献】
【０００３】
【特許文献１】国際公開第２０１７／１１５８６２号公報
【発明の概要】
【発明が解決しようとする課題】
【０００４】
しかしながら、特許文献１に記載の光源モジュールでは、平板状から円筒状に屈曲させて、その形状を変化させているものの、他のタイプの照明装置への適用を考慮すると、その適用性は十分ではない。
本発明は、適用性の高い導電体並びに当該導電体を備える光源モジュール及び照明装置を提供することを目的とする。
【課題を解決するための手段】
【０００５】
本発明に係る導電体は、複数の導電体に２個以上の発光体が表面実装されてなる発光モジュール用の導電体であって、１個以上の第１発光体の端子と接続する第１接続予定部と、１個以上の第２発光体の端子と接続する第２接続予定部と、前記第１接続予定部と前記第２接続予定部とを連結する連結部とを有し、前記連結部は、前記第１接続予定部に対して前記第２接続予定部の位置関係を変更可能に構成されている。
本発明に係る発光モジュールは、複数の導電体に２個以上の発光体が実装されてなる発光モジュールであって、前記導電体は、上記の導電体を備える。
本発明に係る照明装置は、複数の導電体に２個以上の発光体が実装されてなる発光モジュールを備える照明装置であって、前記発光モジュールは、上記の発光モジュールである。
本発明に係る照明装置は、複数の導電体に２個以上の発光体が実装されてなる発光モジュールをベースに備える照明装置において、前記ベースは樹脂材料により構成され、前記発光モジュールは、上記の発光モジュールであり、導電体が前記ベースと一体成形品となっている。
【発明の効果】
【０００６】
本発明に係る導電体は、連結部で第１接続予定部に対して第２接続予定部の位置関係を変更できるため、種々の光源モジュールに適用できる。
【図面の簡単な説明】
【０００７】
【図１】第１実施形態１に係る発光モジュールの平面図である。
【図２】第１実施形態１に係る配線体の平面図である。
【図３】第１実施形態２に係る発光モジュールの平面図である。
【図４】第１実施形態３に係る発光モジュールの平面図である。
【図５】第１実施形態４に係る発光モジュールの平面図である。
【図６】第２実施形態１に係る発光モジュールの斜視図である。
【図７】（ａ）は第２実施形態１に係る発光モジュールの平面図であり、（ｂ）は第２実施形態１に係る発光モジュールの正面図である。
【図８】（ａ）は第２実施形態２に係る発光モジュールの平面図であり、（ｂ）は第２実施形態２に係る発光モジュールの正面図である。
【図９】第２実施形態２に係る発光モジュールの連結部を湾曲させた発光モジュールの平面図である。
【図１０】第２実施形態３に係る発光モジュールの平面図である。
【図１１】第３実施形態１に係る照明装置を示す図であり、（ａ）は斜視図であり、（ｂ）は横断面拡大図である。
【図１２】第３実施形態２に係るランプを示す図であり、（ａ）は斜視図であり、（ｂ）は横断面拡大図である。
【発明を実施するための形態】
【０００８】
＜概要＞
実施形態の一態様に係る導電体は、複数の導電体に２個以上の発光体が表面実装されてなる発光モジュール用の導電体であって、１個以上の第１発光体の端子と接続する第１接続予定部と、１個以上の第２発光体の端子と接続する第２接続予定部と、前記第１接続予定部と前記第２接続予定部とを連結する連結部とを有し、前記連結部は、前記第１接続予定部に対して前記第２接続予定部の位置関係を変更可能に構成されている。
実施形態の別態様に係る導電体において、前記連結部は、切り欠きを有し、当該切り欠きにより、位置関係を変更可能としている。これにより、容易に実施できる。
実施形態の別態様に係る導電体において、前記第１接続予定部と前記第２接続予定部とは第１方向に延伸し、前記連結部は、前記第１方向と交差する第２方向に延伸して、前記第１接続予定部と前記第２接続予定部との一端同士を連結し、前記切り欠きは、前記連結部における前記第１方向の寸法が小さくなるように、設けられている。これにより、第１接続予定部に対して第２接続予定部の位置関係を容易に変更できる。
実施形態の別態様に係る導電体において、前記切り欠きは、前記連結部における前記第２方向の両端側に設けられている。これにより、位置関係の変更の自由度を向上させることができる。
【０００９】
実施形態の別態様に係る導電体において、前記第１接続予定部と前記第２接続予定部と前記連結部とが同一部材として構成されている。これにより、安価に実施できる。
実施形態の別態様に係る導電体において、前記第１接続予定部と前記第２接続予定部と前記連結部とが１本の弾性変形可能な線条体により構成されている。これにより、容易に実施できる。
実施形態の別態様に係る導電体において、前記第１接続予定部は、当該第１接続予定部に接続される前記１個以上の第１発光体の他の端子と接続する他の導電体の第２接続予定部と対向し且つ平行に配された状態で、前記他の導電体の第２接続予定部と共に第１補強部により補強されている。これにより、導電体が分散するのを防止できる。
【００１０】
実施形態の別態様に係る導電体において、前記第２配線予定部は、当該第２配線予定部に接続される前記１個以上の第２発光体の他の端子と接続する他の導電体の第１接続予定部と対向し且つ平行に配された状態で、前記他の導電体の第１接続予定部と共に第２補強部により補強されている。これにより、第１接続予定部と第２接続予定部とが離間するのを防止できる。
実施形態の別態様に係る導電体において、前記線条体の長さ方向における中間部分が前記連結部となっている。これにより、容易に実施できる。
実施形態の別態様に係る導電体において、前記第１接続予定部と前記第２接続予定部の間に前記連結部が介在する状態で、前記第１接続予定部と前記第２接続予定部と前記連結部とを複数個有し、複数個の前記第１接続予定部と前記第２接続予定部と前記連結部とが１本の弾性変形可能な線条体により構成されている。これにより、安価に実施できる。
【００１１】
実施形態の別態様に係る導電体において、前記複数個の第１接続予定部は、当該第１配線予定部に接続される前記１個以上の第１発光体の他の端子と接続する他の導電体の第２接続予定部と対向し且つ平行に配された状態で、前記他の導電体の第２接続予定部と共に第１補強部により補強され、前記複数個の第２接続予定部は、当該第２配線予定部に接続される前記１個以上の第２発光体の他の端子と接続する他の導電体の第１接続予定部と対向し且つ平行に配された状態で、前記他の導電体の第２接続予定部と共に第２補強部により補強されている。これにより、導電体が分散するのを防止できる。
実施形態の別態様に係る導電体において、前記他の導電体は、前記第１接続予定部と前記第２接続予定部と前記連結部とを１本の弾性変形可能な線条体に複数個有する。これにより、安価に実施できる。
【００１２】
実施形態の一態様に係る発光モジュールは、複数の導電体に２個以上の発光体が実装されてなる発光モジュールであって、前記導電体は、上記に記載の導電体を備える。これにより、安価な発光モジュールが得られる。
実施形態の一態様に係る照明装置において、複数の導電体に２個以上の発光体が実装されてなる発光モジュールを備える照明装置であって、前記発光モジュールは、上記の発光モジュールである。これにより、安価な照明装置が得られる。
実施形態の一態様に係る照明装置は、複数の導電体に２個以上の発光体が実装されてなる発光モジュールをベースに備える照明装置において、前記ベースは樹脂材料により構成され、前記発光モジュールは、上記の発光モジュールであり、導電体が前記ベースと一体成形品となっている。これにより、安価に実施でき、導電体の分散を防止できる。
【００１３】
≪第１実施形態≫
＜第１実施形態１＞
１．概略
第１実施形態１に係る発光モジュール用の導電体、導電体により構成される配線体及び照明装置について説明する。
図１は、発光モジュール１を示し、配線体２に複数個の発光素子７が実施されてなる。ここでの配線体２は、２つの配線体３，５が組み合わされて構成されている。配線体２の全体形状は矩形状である。配線体２の長手方向、短手方向を単に「長手方向」、「短手方向」とする。また、発光モジュール１から光が出射される側を表側とし、光の出射方向と反対側を裏側とする。
【００１４】
２つの配線体において、一方を第１配線体３とし、他方を第２配線体５とする。ここでは、短手方向において、第１配線体３が一方側（図１において下側）に位置し、第２配線体５が他方側（図１において上側）に位置する。
なお、本明細書内の第１及び第２の数字は、単に２つの部材、例えば配線体を区別するために用いるものであり、第１及び第２の数字の順番に意味はない。また、第１配線体３と第２配線体５とを区別して説明する必要がない場合、単に配線体３，５とする。
第１配線体３は複数個の第１導電体３１により構成され、第２配線体５は複数個の第２導電体５１により構成されている。なお、第１導電体３１と第２導電体５１とを区別して説明する必要がない場合、単に導電体３１，５１とする。
【００１５】
２．発光素子
発光体は例えば発光素子を利用している。発光素子７の一例としてＬＥＤ素子を利用できる。なお、ＬＥＤ素子の符号も「７」とする。ＬＥＤ素子７は、カソード端子とアノード端子とを裏面の端部にそれぞれ備える、いわゆる表面実装タイプのＬＥＤである。本例では、図１において、長手方向において左側がアノード端子（高電位側）で、右側がカソード端子（低電位側）である。
【００１６】
３．導電体
図２を用いて配線体２を説明する。
導電体３１，５１は、配線体３，５に発光素子が実装されてなる発光モジュール１用の配線体３，５を構成する。第１導電体３１は短手方向の一方側（図２において下側）に位置し、第２導電体５１が短手方向の他方側（図２において上側）に位置する。
導電体３１，５１は、第１接続予定部の一例である高電位側接続予定部３３，５３と、第２接続予定部の一例である低電位側接続予定部３５，５５とを有している。なお、高電位側接続予定部３３，５３及び低電位側接続予定部３５，５５を第１導電体３１と第２導電体５１とで区別する場合は、「第１」又は「第２」を付して表す。
高電位側接続予定部３３，５３は、高電位側の発光素子７のカソード端子（図１参照）と接続する予定の高電位側接続予定領域３３ａ，５３ａを有する。低電位側接続予定部３５，５５は、低電位側の発光素子７のアノード端子（図１参照）と接続する予定の低電位側接続予定領域３５ａ，５５ａを有する。ここでは、高電位側接続予定領域３３ａ，５３ａと低電位側接続予定領域３５ａ，５５ａとはそれぞれ短手方向に間隔をおいて３個ある（図１参照）。
ここでの高電位側接続予定部３３，５３と低電位側接続予定部３５，５５は矩形状をしている。高電位側接続予定部３３，５３と低電位側接続予定部３５，５５は、長手方向に離間する状態で短手方向に延伸する。
【００１７】
導電体３１，５１は、高電位側接続予定部３３，５３と低電位側接続予定部３５，５５を連結する連結部３７，５７を有している。なお、連結部を第１導電体３１と第２導電体５１とで区別する場合は、「第１」又は「第２」を付して表す。連結部３７，５７は、矩形状又は矩形状に近い形状をし、長手方向に延伸する。
第１連結部３７は、第１高電位側接続予定部３３と第１低電位側接続予定部３５における短手方向の一方側端部を接続する。つまり、第１導電体３１は実装面側から見ると、短手方向の他方側が開口する「コ」字状をしている。
第２連結部５７は、第２高電位側接続予定部５３と第２低電位側接続予定部５５における短手方向の他方側端部を接続する。つまり、第２導電体５１は実装面側から見ると、短手方向の一方側が開口する「コ」字状をしている。
【００１８】
連結部３７，５７は、高電位側接続予定部３３，５３に対する低電位側接続予定部３５，５５の位置関係を変更可能とする構成を有する。ここでは、切り欠きにより構成される。つまり、連結部３７，５７は、短手方向に延伸する（切り込む）切り欠き３９，５９を有している。
ここでの連結部３７，５７は長手方向に間隔をおいて複数個（例えば２個）の切り欠き３９，５９を有している。なお、切り欠きを第１導電体３１と第２導電体５１とで区別する場合は、「第１」又は「第２」を付して表す。
第１連結部３７は、短手方向の一方側から他方側に向かって徐々に切り込み幅（長手方向の寸法である）が小さくなるように、第１切り欠き３９を有している。第２連結部５７は、短手方向の他方側から一方側に向かって徐々に切り込み幅（長手方向の寸法である）が小さくなるように、第２切り欠き５９を有している。ここでの切り欠き３９，５９は切込み先端を頂点とする２等辺三角形状に構成されている。なお、切込み深さは、連結部３７，５７の短手方向の寸法の１／３〜２／３の範囲内である。
【００１９】
４．配線体
配線体３，５は、長手方向に間隔をおいて配された複数個の導電体３１，５１から構成される。
複数個の導電体３１，５１は、各導電体３１，５１の高電位側接続予定部３３，５３が高電位側に隣接する他の導電体３１，５１の低電位側接続予定部３５，５５と対向し、各導電体３１，５１の低電位側接続予定部３５，５５が低電位側に隣接する他の導電体３１，５１の高電位側接続予定部３３，５３と対向するように配される。
複数個の導電体３１，５１は、第１導電体３１の第１高電位側接続予定部３３と第１低電位側接続予定部３５との間に、長手方向に隣接する第２導電体５１であって互いに対向する第２高電位側接続予定部５３と第２低電位側接続予定部５５とが位置するように、配される。つまり、「コ」字状の第１導電体３１と、「コ」字状の第２導電体５１とが、互いに噛み合うように配されている。
【００２０】
配線体３，５は、各配線体３，５を構成する導電体３１，５１を補強する補強体４１，４３を有している。補強体４１，４３は、各導電体３１，５１同士がズレるのを規制する。なお、補強体を第１配線体３と第２配線体５とで区別する場合は、「第１」又は「第２」を付して表す。
補強体４１，４３は、絶縁性樹脂材料、ガラス材料等から構成されている。
第１補強体４１は、隣接する第１導電体３１において、対向する第１高電位側接続予定部３３と第１低電位側接続予定部３５のＬＥＤ素子７の実装面（以下、単に実装面」ともいう）に跨るように、設けられている。つまり、第１補強体４１は、対向する第１高電位側接続予定部３３と第１低電位側接続予定部３５との実装面であって第１高電位側接続予定領域３３ａと第１低電位側接続予定領域３５ａとを除く部分同士を連結する。第１補強体４１は、短手方向に間隔をおいて設けられた第１高電位側接続予定領域３３ａと第１低電位側接続予定領域３５ａとの間を長手方向に延伸するように設けられている。
第２補強体４３は、隣接する第２導電体５１において、対向する第２高電位側接続予定部５３と第２低電位側接続予定部５５の実装面に跨るように、設けられている。つまり、第２補強体４３は、対向する第２高電位側接続予定部５３と第２低電位側接続予定部５５との実装面であって第２高電位側接続予定領域５３ａと第２低電位側接続予定領域５５ａとを除く部分同士を連結する。第２補強体４３は、短手方向に間隔をおいて設けられた第２高電位側接続予定領域５３ａと第２低電位側接続予定領域５５ａとの間を長手方向に延伸するように設けられている。
【００２１】
第１配線体３と第２配線体５とは補強体４６，４７，４８，４９により補強されている。補強体４６，４７，４８，４９は、絶縁性樹脂材料、ガラス材料等から構成されている。なお、補強体４６，４７，４８，４９をまとめて、便宜上補強体４５とする（図示省略）。
第１−第２高電位補強体４６は、第１連結部３７の実装面と第２高電位側接続予定部５３の実装面とに跨る。第１−第２低電位補強体４７は、第１連結部３７の実装面と第２低電位側接続予定部５５の実装面とに跨る。第２−第１高電位補強体４８は、第２連結部５７の実装面と第１高電位側接続予定部３３の実装面とに跨る。第２−第１低電位補強体４９は、第２連結部５７の実装面と第１低電位側接続予定部３５の実装面とに跨る。
【００２２】
上記の補強体４１，４３，４５により、離間する状態の複数の導電体３１，５１から配線体３，５を構成しても、導電体３１，５１が移動して他の導電体３１，５１に接触するようなことを無くすることができる。また、第１配線体３と第２配線体５とを一体に組み合せて、発光モジュール１を構成することができる。
【００２３】
５．発光モジュール
発光モジュール１は、図１に示すように、隣接する第１導電体３１の第１高電位側接続予定部３３と第１低電位側接続予定部３５とに跨る状態でＬＥＤ素子７が実装されてなる第１発光モジュール１１と、隣接する第２導電体５１の第２高電位側接続予定部５３と第２低電位側接続予定部５５とに跨る状態でＬＥＤ素子７が実装されてなる第２発光モジュール１３とを含む。
【００２４】
ここでの発光モジュール１は、図１に示すように、全体として長尺矩形状をしているため、例えば、天井等に設置されるベースタイプの照明装置の光源として利用できる。
発光モジュール１は２つの発光モジュール１１，１３を備えるため、例えば、第１発光モジュール１１と第２発光モジュール１３とに実装されるＬＥＤ素子７のタイプを容易に変えることができる。これにより、調色可能な発光モジュールを容易に得ることができる。
第１導電体３１と第２導電体５１とは、連結部３７，５７に設けられた切り欠き３９，５９の位置が異なる以外、同じ構成である。このため、第１導電体３１の配置ピッチと、第２導電体５１の配置ピッチとを１／２だけ長手方向にずらすことで、すべての発光素子７の長手方向の間隔が等しくなり、輝度ムラの少ない発光モジュール１を容易に得ることができる。
【００２５】
＜第１実施形態２＞
第１実施形態１に係る導電体３１，５１を用いて、第１実施形態１に係る配線体２及び発光モジュール１と異なる形態の配線体及び発光モジュールについて図３を用いて説明する。
図３は、第１実施形態２に係る発光モジュール１０１を示し、配線体１０２に複数個の発光素子７が実装されている。ここでの配線体１０２は２つの配線体１０３，１０５からなる。配線体１０２の全体形状は円環状である。配線体１０２の周方向、径方向を単に「周方向」、「径方向」とする。発光素子７の一例として、第１実施形態１と同様に、ＬＥＤ素子７を利用できる。
ここでは、内周側に位置する配線体を第１配線体１０３とし、外周側に位置する配線体を第２配線体１０５とする。また、第１配線体１０３と第２配線体１０５とを区別して説明する必要がない場合、単に配線体１０３，１０５とする。
【００２６】
第１配線体１０３は複数個の第１導電体３１により構成されている。第１導電体３１は、第１実施形態１で説明した第１導電体３１と同じであり、第１導電体３１の第１切り欠き３９が存在する部分で内周側に屈曲させたものである。なお、屈曲は、円環状の配線体１０２の内周の直径と、周方向に配設する第１導電体３１の個数により適宜決定される。
なお、屈曲させる際に、第１切り欠き３９を利用するため、補強体４１，４６，４７に過度な負荷が作用しくにい。
【００２７】
第２配線体１０５は、複数個の第２導電体５１を利用して構成されている。第２配線体１０５は、複数個の第２導電体５１と連結体１５２とから構成される。
第２配線体１０５は、第１配線体１０３よりも外周側に位置する。このため、第２配線体１０５において、第２高電位側接続予定部５３と第２低電位側接続予定部５５との間隔が、第２導電体５１の第２高電位側接続予定部５３と第２低電位側接続予定部５５との間隔より大きくなる。
従って、第２配線体１０５は、第１実施形態１の第２導電体５１を２個の切り欠き５９で切断して、第２高電位側接続予定部１５３と、第２低電位側接続予定部１５５と、第２連結部１５７と、第２高電位側接続予定部１５３と第２連結部１５９とを機械的及び電気的に連結する連結体１５２と、第２低電位側接続予定部１５５と第２連結部１５９とを機械的及び電気的に連結する連結体１５２とで構成される。
【００２８】
第２高電位側接続予定部１５３は切断前の第２高電位側接続予定部５３であり、第２低電位側接続予定部１５５は切断前の第２低電位側接続予定部５５であり、第２連結部１５７は切断前の第２連結部５７である。
なお、連結体１５２は、例えば、溶接（図３における黒丸）により、第２高電位側接続予定部１５３、第２低電位側接続予定部１５５、第２連結部１５７と連結される。
【００２９】
第２導電体５１に設けられている補強体４３は、第２高電位側接続予定部１５３と第２低電位側接続予定部１５５とに跨る状態で残存している。第２導電体５１に設けられていた補強体４８は、第２連結部１５７と第１高電位側接続予定部３３とに跨る状態で残存している。第２導電体５１に設けられていた補強体４９は、第２連結部１５７と第１低電位側接続予定部３５とに跨る状態で残存している。つまり、配線体２のほとんどを利用して、配線体１０２を構成できる。
【００３０】
発光モジュール１０１は、第１実施形態１で説明した第１導電体３１を利用した第１配線体１０３と、第２導電体５１を利用して構成された配線体１０２とに複数のＬＥＤ素子７を実装してなる。発光モジュール１０１は、円環状をしている。
発光モジュール１０１は、例えば、リビング、ダイニング等の天井に設けられるシーリングタイプ、洗面所に設けられる小型シーリングタイプの照明装置の光源として利用できる。
このように、第１導電体３１及び第２導電体５１は、第１実施形態の長尺矩形状の発光モジュール１以外に、円環状の発光モジュール１０１にも適用できる。
【００３１】
＜第１実施形態３＞
第１実施形態１の配線体２及び第１実施形態２の配線体１０２は、第１導電体３１と第２導電体５１との２種類を利用している。
第１実施形態１に係る導電体３１、５１の一方だけを用いて、第１実施形態１や第２実施形態２の配線体２，１０２及び発光モジュール１，１０１と異なる形態の配線体及び発光モジュールについて図４を用いて説明する。
第１実施形態３に係る発光モジュール２０１は、配線体２０３に複数個のＬＥＤ素子７が実装されてなる。配線体２０３は、第１実施形態１の第２導電体５１を利用した複数個の導電体２５１と、複数個の導電体２５１を補強する補強体４３とを有している。
【００３２】
導電体２５１は、第２導電体５１における第２切り欠き５９が存在する部分で、第２高電位側接続予定部５３と第２低電位側接続予定部５５との間隔を広げるように、屈曲させたものである。
このように、第１実施形態１で説明した第２導電体５１を利用して、図４に示すような発光モジュール２０１を得ることができる。
これにより、発光モジュール１，１０１に使用できる第１導電体３１と第２導電体５１とから、２種類の発光モジュールとすることができ、複数種類の照明装置に搭載することができ、工数、コストの効率化を図ることができる。なお、ここでの２種類の発光モジュールとは、１種類が第２導電体５１を利用した発光モジュール２０１であり、もう１種類が第１導電体３１を利用した図示していない発光モジュールである。
【００３３】
＜第１実施形態４＞
第１実施形態３の導電体２５１は、第２導電体５１の連結部５７を切り欠き５９で屈曲させているが、導電体は、第１導電体３１又は第２導電体５１の一部を利用して構成してもよい。
第１実施形態１に係る第２導電体５１を用いて、第１実施形態１や第２実施形態２の配線体２，１０２に異なる形態の配線体、発光モジュールについて図５を用いて説明する。
第１実施形態３に係る発光モジュール３０１は、配線体３０３に複数個のＬＥＤ素子７が実装されてなる。配線体３０３は、第１実施形態１の第２導電体５１の第２高電位側接続予定部５３と、第２低電位側接続予定部５５とを利用している。つまり、配線体３０３は、第２高電位側接続予定部５３に相当する複数個の高電位側接続予定部３５３と、第２低電位側接続予定部５５に相当する複数個の低電位側接続予定部３５５と、隣接する高電位側接続予定部３５３と低電位側接続予定部３５５とを連結する連結体３５７とを有する。
配線体３０３は、隣接する高電位側接続予定部３５３と低電位側接続予定部３５５とに跨って接続予定部３５３，３５５を補強する補強体３４３を備える。
【００３４】
連結体３５７は、高電位側接続予定部３５３と低電位側接続予定部３５５とにおける径方向の一方端（内側端）で連結する。連結体３５７として、例えば、ピンを利用することができる。なお、連結体３５７は、高電位側接続予定部３５３と低電位側接続予定部３５５とを連結できればよく、例えば半田、溶接等で連結してもよい。
このような配線体３０３においても、第２導電体５１の一部を利用することができる。
【００３５】
≪第２実施形態≫
＜第２実施形態１＞
図６及び図７を用いて説明する。
発光モジュール５０１は配線体５０２に複数個の発光素子７が実施されてなる。ここでの配線体５０２は、複数の導電体を有している。発光素子７は第１実施形態と同様にＬＥＤ素子７を利用できる。
１．配線体
配線体５０２は長尺状をしている。ここで、長尺状の配線体において、長尺方向を長手方向とし、長手方向と直交する方向を短手方向とする。
配線体５０２は１種類の導電体を２本一組として複数組備えている。一方の導電体を第１導電体５３１とし、他方の導電体を第２導電体５５１とする。第１導電体５３１と第２導電体５５１とを区別する必要がない場合は、導電体５３１，５５１として説明する。
【００３６】
導電体５３１，５５１は、１個以上の発光素子のアノード端子と接続する高電位側接続予定部５３３，５５３と、１個以上の第２発光素子のカソード端子と接続する低電位側接続予定部５３５，５５５と、高電位側接続予定部５３３，５５３と低電位側接続予定部５３５，５５５とを連結する連結部５３７，５５７とを有している。なお、高電位側接続予定部は第１接続予定部の一例に相当し、低電位側接続予定部は第２接続予定部の一例に相当する。
高電位側接続予定部５３３，５５３と低電位側接続予定部５３５，５５５は長手方向に延伸し、連結部５３７，５５７は長手方向に延伸する。なお、高電位側接続予定部５３３，５５３と低電位側接続予定部５３５，５５５との間には、後述のクランク部５３９，５５９と連結部５３７，５５７とが存在している。
第１導電体５３１において、第１高電位側接続予定部５３３が第２導電体５５１の第２低電位側接続予定部５５５と短手方向に対向し、第１低電位側接続予定部５３５が他の第２導電体５５１の第２高電位側接続予定部５５３と短手方向に対向する。
【００３７】
導電体５３１，５５１は、図７の（ａ）に示すように、クランク状をしている。つまり、導電体５３１，５５１は、第１方向(例えば短手方向である）に間隔をおいて且つ第１方向と交差する（直交する）第２方向(例えば長手方向である）であって逆向きに延伸する第１延伸部及び第２延伸部と、第１延伸部における第２延伸部側端部と第２延伸部における第１延伸部側端部とを第１方向に連結する連結部とを有する形状をし、第１延伸部に高電位側接続予定部５３３，５５３が存在し、第２延伸部に低電位側接続予定部５３５，５５５が存在する。導電体５３１，５５１において、クランク形状を構成する連結部を、導電体５３１，５５１の連結部５３７，５５７と区別するためにクランク部５３９，５５９とする（図７参照）。
【００３８】
短手方向の一方側、ここでは図６において手前側には、第１導電体５３１の高電位側接続予定部５３３と第２導電体５５１の高電位側接続予定部５５３とが長手方向に交互に位置する。短手方向の他方側、ここでは図６において奥側には、第１導電体５３１の低電位側接続予定部５３５と第２導電体５５１の低電位側接続予定部５５５とが長手方向に交互に位置する。
つまり、２本の第１導電体５３１と第２導電体５５１とは、全長の約半分が長手方向にズレた状態で、平行に配されている。
【００３９】
ここで、第１高電位側接続予定部５３３と第２低電位側接続予定部５５５とが対向する部分、第１低電位側接続予定部５３５と第２高電位側接続予定部５５３とが対向する部分を、図７に示すように、それぞれ実装予定部５０４とする。つまり、１本の第１導電体５３１と１本の第２導電体５５１とで１個の実装予定部５０４を形成し、２本の導電体５３１と１本の導電体５５１とで長手方向に２個の実装予定部５０４を形成する。
【００４０】
配線体５０２は、第１高電位側接続予定部５３３と第２低電位側接続予定部５５５とを補強する補強部５７０を有している。補強部５７０は長手方向に間隔をおいて複数個設けられている。ここでの補強部５７０は１個の実装予定部５０４内に４個ある。１個の実装予定部５０４において、補強部５７０は、長手方向の両端に位置する端補強部５７１，５７７と、端補強部５７１，５７７間に位置する中間補強部５７３，５７５とを含む。なお、補強部５７０は絶縁性樹脂材料により構成されている。
第１導電体５３１において、クランク部５５９が内部に収容する端補強部を外側端補強部５７７とし、反対側の端補強部を内側端補強部５７１とする。
内側端補強部５７１、中間補強部５７３，５７５は、図６に示すように、導電体５３１，５５１と直交する板状に構成されている。ここでの板状は、導電体５３１，５５１が延伸する方向から見たときに、短手方向に長い矩形状をしている。導電体５３１，５５１は、導電体５３１，５５１が延伸する方向から見たときに、補強部５７０における、ＬＥＤ素子７が実装される側の角部に近い位置を通過する。換言すると、導電体５３１，５５１は、補強部５７０における短手方向の両端部を通過する。
【００４１】
外側端補強部５７７は、図７に示すように、導電体５３１，５５１におけるクランク部５３９を内部に収容している。換言すると、外側端補強部５７７は、内部にクランク部５３９，５５９が存在するように一体に成形されている。外側端補強部５７７は、図６に示すように、導電体５３１，５５１と直交するブロック状をしている。
【００４２】
配線体５０２は、各補強部５７０を連結する補強連結部５８０を有している。補強連結部５８０は、１個の実装予定部５０４において、長手方向に隣接する補強部５７０を連結する。ここでの補強連結部５８０は、長手方向に隣接する補強部５７０において、補強部５７０における短手方向の両端部を連結する。補強連結部５８０は絶縁性樹脂材料により構成されている。ここでは、補強部５７０を構成する樹脂材料と同じであり、補強部５７０と補強連結部５８０とが一体（同時）で成形されている。
補強連結部５８０は、内側端補強部５７１と中間補強部５７３とを連結する内側補強連結部５８１と、中間補強部５７３と中間補強部５７５とを連結する中側補強連結部５８３と、中間補強部５７５と外側端補強部５７７とを連結する外側補強連結部５８５とを含む。
【００４３】
ここでの補強連結部５８０は、長手方向の両側に位置する内側端補強部５７１と外側端補強部５７７との間に存在する第１導電体５３１と第２導電体５５１を裏側から支持する。具体的には、補強連結部５８０は、１個の実装予定部５０４において、長手方向の両側に位置する内側端補強部５７１と外側端補強部５７７との間に存在する第１導電体５３１と第２導電体５５１との裏側に接触している（一体化されている）。
補強連結部５８０は、長手方向に延伸する板状をしている。補強連結部５８０の厚み（配線体の短手方向の寸法）は導電体５３１，５５１の幅（配線体の短手方向の寸法）と略同じである。これにより、導電体５３１，５５１との結合力を高めることができる。
補強連結部５８０において、ＬＥＤ素子７を実装する側と反対側の裏面は、補強連結部５８０におけるＬＥＤ素子７を実装する側と反対側の面と略一致する。これにより、配線体５０２を発光モジュール５０１の載置面に安定した状態で載置できる。
【００４４】
高電位側接続予定部５３３，５５３及び低電位側接続予定部５３５，５５５は、第１導電体５３１及び第２導電体５５１において、内側端補強部５７１と外側端補強部５７７との間の露出部分により構成されている。なお、ＬＥＤ素子７は、複数の補強部５７０間で露出する部分に実装される。
連結部５３７，５５７は隣接する実装予定部５０４間に存在する。つまり、連結部５３７，５５７は長手方向に隣接する実装予定部５０４を連結する。連結部５３７，５５７は、導電体５３１，５５１において、高電位側接続予定部５３３，５５３が存在しない部分であって内側端補強部５７１と外側端補強部５７７との間に存在する。
第１導電体５３１，５５１は、線条体、例えば金属線（金属棒）により構成されている。このため、連結部５３７，５５７で弾性変形可能となり、隣接する実装予定部５０４においてその位置関係が変更可能に構成される。
【００４５】
２．発光モジュール
ＬＥＤ素子７は、短手方向に間隔をおいて配された高電位側接続予定部５３３，５５３と低電位側接続予定部５３５，５５５とに跨るように実装される。
なお、実装には、高電位側接続予定部５３３，５５３と低電位側接続予定部５３５，５５５とに塗布された半田により行われる。これにより、発光モジュール５０１が構成される。
連結部５３７，５５７を長手方向に沿って変形させない場合、発光モジュール５０１は、図７の（ａ）に示すように、長尺矩形状となる。このような発光モジュール５０１は直管状のランプの光源や、会社等の天井等に埋設されるベースタイプの光源に利用できる。
また、連結部５３７，５５７で湾曲させて、全体として環状にした発光モジュールとすることができる。環状の発光モジュールは、例えば、シーリングタイプやペンダントタイプ（吊り下げ式）の照明装置の光源や、環状の蛍光灯の代替ランプの光源として利用できる。
このように、導電体５３１，５５１の連結部５３７，５５７を自在に湾曲（屈曲）させることで、形態の異なる発光モジュールが得られ、その汎用性が高い。
【００４６】
＜第２実施形態２＞
第２実施形態１では、導電体５３１，５５１はクランク状をしていたが、直線状であってもよい。直線状の導電体６３１，６５１を用いた配線体６０３と、当該配線体を利用した発光モジュール６０１について、図８を用いて説明する。
発光モジュール６０１は、配線体６０３に複数個のＬＥＤ素子７を実装してなる。
配線体６０３は、２本の導電体を一組として複数組備える。２本の内、短手方向の一方側（図８の（ａ）における下側）の導電体を第１導電体６３１とし、他方側（図８における上側）の導電体を第２導電体６５１としている。
導電体６３１，６５１は、第２実施形態１と同様に、高電位側接続予定部６３３，６５３と、低電位側接続予定部６３５，６５５と、連結部６３７，６５７とを備えている。但し、導電体６３１，６５１はこれらを略一直線上に備える。
導電体６３１，６５１は、長手方向に全長の略半分がずれた状態で配されている。つまり、１本の第１導電体６３１が長手方向に２本の第２導電体６５１と対向し、１本の第２導電体６５１が長手方向に２本の第１導電体６３１と対向する。
第２実施形態１の電流は短手方向の一方向に流れているが、ここでの電流は短手方向の第一方向に流れた後、第１方向の逆方向である第二方向に流れ、交互に電流の向きを変えている。
【００４７】
配線体６０３は、導電体６３１，６５１を補強する補強部６７０を有している。補強部６７０は、端補強部６７１、中間補強部６７３，６７５、端補強部６７７を有している。補強部６７０は、導電体６３１，６５１と直交する板状に構成されている。
端補強部６７１は第１導電体６３１が貫通し、端補強部６７７は第２導電体６５１が貫通する。なお、端補強部６７１と端補強部６７７とは、貫通する導電体６３１，６５１が異なるが、それ以外の構成（例えば寸法）は同じである。
配線体６０３は、図８の（ｂ）に示すように、補強部６７０を連結する補強連結部６８０を有する。補強連結部６８０は第２実施形態１と同様の構成を有する。補強連結部６８０は、端側補強連結部６８１と中側補強連結部６８３と端側補強連結部６８５とを含む。ここでの補強連結部６８０も、第１導電体６３１と第２導電体６５１とを裏側から支持する。
【００４８】
発光モジュール６０１は、配線体６０３の実装予定部６０４に１個又は複数個のＬＥＤ素子７を実装してなる。長手方向に複数個ある実装予定部６０４に実装される複数個のＬＥＤ素子７は、長手方向に等間隔で実装されている。
発光モジュール６０１は、第２実施形態１と同様に、連結部６３７，６５７の湾曲・屈曲度合いで、直線状、円弧状、環状の光源として利用できる。
また、図９に示すように、連結部６３７，６５７を折り返すことで、全体として長尺矩形状であって、短手方向に３個のＬＥＤ素子７を備える発光部を長手方向に複数個有する発光モジュール６０１Ａにできる。
【００４９】
＜第２実施形態３＞
第２実施形態１の導電体５３１，５５１及び第２実施形態２の導電体６３１，６５１は複数本あったが、導電体は合計２本であってもよい。２本の導電体７３１，７５１を用いた発光モジュール７０１について図１０を用いて説明する。
配線体７０３は、２本の直線状の導電体７３１，７５１を短手方向に間隔をおいて平行に備える。
導電体７３１，７５１は、長手方向（線条体の延伸する方向）にそって、第１接続予定部７３３，７５３と第２接続予定部７３５，７５５とを連結部７３７，７５７を介しながら複数個有している。
つまり、導電体７３１，７５１は、第１接続予定部７３３，７５３と連結部７３７，７５７と第２接続予定部７３５，７５５とをこの順で備える接続予定部を連結部７３７，７５７により複数個連結した構造をしている。
【００５０】
一例としての発光モジュール７０１は、複数個のＬＥＤ素子７が並列接続で配線体７０３に実装される。図１０において、下側に位置する導電体を第１導電体７３１とし、上側に位置する導電体を第２導電体７５１とすると、第１導電体７３１のすべての第１接続予定部７３３とすべての第２接続予定部７３５とがＬＥＤ素子７のアノード端子に接続し、第２導電体７５１のすべての第１接続予定部７５３とすべての第２接続予定部７５５とがＬＥＤ素子７のカソード端子に接続する。
この場合、第１導電体７３１の第１接続予定部７３３と第２接続予定部７３５とは、高電位側接続部として機能し、第２導電体７５１の第１接続予定部７５３と第２接続予定部７５５とは低電位側接続部として機能する。
このように、第１接続予定部と第２接続予定部とはＬＥＤ素子７の同じ極性の端子に接続するようにしてもよい。
【００５１】
配線体７０３は、２本の導電体７３１，７５１を補強する補強部７７０を有している。補強部７７０は、端補強部７７１，７７７と中間補強部７７３，７７５とを有する。２本の導電体７３１，７５１は、補強部７７０を貫通する状態で補強されている。なお、２本の導電体７３１，７５１において、隣接する実装予定部７０４間に位置する部分が連結部７３７，７５７となる。連結部７３７，７５７は、湾曲・屈曲させることで、長手方向に隣接する実装予定部７０４の位置関係を変更できる。
【００５２】
発光モジュール７０１は、２本の導電体７３１，７５１から構成される配線体７０３にＬＥＤ素子７を実装することで、長手方向に配された複数個のＬＥＤ素子７を並列接続できる。
この際、連結部７３７，７５７を湾曲・屈曲させない場合は、直線状に発光モジュール７０１が得られる。また、連結部７３７，７５７を湾曲・屈曲させた場合は、円弧状、環状の発光モジュールが得られる。
配線体７０３において、隣接する実装予定部７０４間の導電体７３１，７５１の連結部７３７，７５７の一方を交互に切断すると、第２実施形態２の配線体６０３と同じ機能を有することとなる。
【００５３】
≪第３実施形態≫
＜第３実施形態１＞
第１実施形態２に係る発光モジュール１０１（図３参照）を光源として備える照明装置について説明する。
照明装置８０１は、図１１に示すように、天井等の設置面に設けられたローゼット等に取り付けられる、所謂シーリングライトである。
照明装置８０１は、発光モジュール１０１と、発光モジュール１０１を搭載するベース８０３と、発光モジュール１０１に電力を供給する電源ユニット８０５と、発光モジュール１０１を覆う透光性カバー８０７とを備える。なお、ここでは、径の異なる２個の発光モジュール１０１Ａ，１０１Ｂを同心円上に備える。
照明装置８０１は、発光モジュール１０１Ａ，１０１Ｂと透光性カバー８０７との間で発光モジュール１０１を保護する保護カバー８０９を備える。
ベース８０３は樹脂材料により構成され、発光モジュール１０１を構成する導電体３１，１５１とベース８０３とが一体成形された一体品となっている。
【００５４】
＜第３実施形態２＞
第２実施形態１に係る発光モジュール７０１を環状に構成して、光源として備えるランプについて説明する。なお、環状に湾曲させた発光モジュールも「７０１」の符号を用いる。
ランプ９０１は、従来の円環状の蛍光ランプ用の照明装置に蛍光ランプの代替として取り付け可能である
ランプ９０１は、図１２に示すように、発光モジュール７０１と、発光モジュール７０１を収容するバルブ体９０３とを備える。なお、ここでのバルブ体９０３は環状（例えば円環状）をしている。
バルブ体９０３は、発光モジュール７０１の光の出射方向側に位置する表バルブ９０５と、裏側に位置する裏バルブ９０７との２部材により構成されている。
ランプ９０１は、発光モジュール７０１へ給電するためのケーブル用の貫通孔９０３ａをバルブ体９０３に有し、電気接続部分を覆うカバー９０９をバルブ体９０３に備える。
裏バルブ９０７は熱可塑性樹脂により構成され、発光モジュール７０１は、裏バルブ９０７の内面の溶融を利用して、熱融着されている。なお、発光モジュール７０１は、ねじ、リベット等により裏バルブ９０７に固定してもよいし、モジュール専用の固定部材により固定するようにしてもよい。
【００５５】
以上、実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００５６】
＜変形例＞
１．発光体
実施形態では、発光体の一例としてＬＥＤ素子を利用したが、例えば、裏面に両端子を有するレーザ素子であってもよい。
発光体として、複数個のＬＥＤ素子が実装されているＳＭＤタイプであってもよいし、基板に複数個のＬＥＤ素子が実装したものであってよい。基板を利用する場合、裏面に配線体（導電体）と接続するための端子を有する必要がある。
【００５７】
２．発光モジュールとベースとの一体化
第３実施形態１では、発光モジュール１０１を構成する導電体３１，１５１とベース８０３とが一体成形されていたが、他の実施形態の発光モジュールもベースやバルブと一体化されてもよいし、発光モジュールと樹脂板とを一体化して、当該一体品をベースやバルブに搭載するようにしてもよい。
第２実施形態において、線条体を導電体として使用する場合、ベースやバルブに形成されている線条体（導電体）用の溝に、実装部分が露出するように篏合させて、配線体を構成してもよい。この場合、補強部等が不要となる。また、ベースやバルブと線条体（導電体）とを一体成形してもよい。
【００５８】
３．照明装置
第３実施形態１の照明装置８０１は、径の異なる２個の発光モジュール１０１Ａ，１０１Ｂを同心円上に備えているが、１個又は３個以上の発光モジュールを備えてもよい。
また、照明装置は、第１実施形態及び第２実施形態で説明した発光モジュールを１個又は複数個備えてもよい。
【符号の説明】
【００５９】
１    発光モジュール
２    配線体
７    発光素子（発光体）
３１    第１導電体
３３    高電位側接続予定部（第１接続予定部）
３５    低電位側接続予定部（第２接続予定部）
３７    連結部
５１    第１導電体
５３    高電位側接続予定部（第１接続予定部）
５５    低電位側接続予定部（第２接続予定部）
５７    連結部
８０１    照明装置
８０３    ベース
【図１】
2019192473.tif 000003
【図２】
2019192473.tif 000004
【図３】
2019192473.tif 000005
【図４】
2019192473.tif 000006
【図５】
2019192473.tif 000007
【図６】
2019192473.tif 000008
【図７】
2019192473.tif 000009
【図８】
2019192473.tif 000010
【図９】
2019192473.tif 000011
【図１０】
2019192473.tif 000012
【図１１】
2019192473.tif 000013
【図１２】
2019192473.tif 000014